(57)【要約】【課題】ハウス内を冷房するのに細霧の気化熱を利用した簡易な細霧冷房設備を用いる一方、そのようにハウス内を細霧冷房するものであっても、ハウス内で作業に従事する作業員の作業環境（湿度及び温度）を好適範囲に維持できるようにする。【解決手段】上部を透明な被覆材２で被覆してなるハウス本体１内を上下に通気可能な区画材６により天井側の上部室２１と栽培室となる下部室２２との上下２室に区画し、下部室２２の側面１１に防虫ネット３を張設し、上部室２１内を細霧冷房装置７により細霧冷房し、上部室２１内の空気をハウス外に排出する排気フアン５を有しているとともに、上部室２１内の空気を排気フアン５で強制排気することで、下部室２２内の空気が上部室２１内に吸引され続いて下部室２２内に外気が防虫ネット３を通して導入されるようにしていることにより、栽培室となる下部室２２内を外気とほぼ同等の作業環境にできる。【選択図】  図１
2014198035.tif 000002
【特許請求の範囲】
【請求項１】
上部を透明な被覆材（２）で被覆してなるハウス本体（１）内を上下に通気可能な区画材（６）により天井側の上部室（２１）と栽培室となる下部室（２２）との上下２室に区画し、
上記下部室（２２）の側面（１１）に防虫ネット（３）を張設し、
上記上部室（２１）内を細霧冷房装置（７）により細霧冷房し、
上記上部室（２１）内の空気をハウス外に排出する排気フアン（５）を有しているとともに、
上記上部室（２１）内の空気を排気フアン（５）で強制排気することで、上記下部室（２２）内の空気が上記上部室（２１）内に吸引され続いて上記下部室（２２）内に外気が上記防虫ネット（３）を通して導入されるように構成している、
ことを特徴とする植物栽培温室。
【請求項２】
請求項１において、
上記ハウス本体（１）内を区画している上記区画材（６）は、所定遮光率を有した遮光材である、
ことを特徴とする植物栽培温室。
【請求項３】
請求項１又は２において、
上記細霧冷房装置（７）は、外気を吸引する吸気フアン（４）と細霧噴出ノズル（７１）とを有し、
上記細霧冷房装置（７）を上記上部室（２１）における一方のハウス妻面（１２）に設置する一方、
上記排気フアン（５）を上記上部室（２１）における細霧冷房装置（７）の設置側ハウス妻面（１２）とは対面するハウス妻面（１３）に設置しているとともに、
上記排気フアン（５）部分での排気量を上記吸気フアン（４）部分での吸気量より多くしている、
ことを特徴とする植物栽培温室。
【請求項４】
請求項１又は２において、
上記上部室（２１）におけるハウス長さ方向の中間位置に所定小間隔を隔てて２つの隔壁（１７，１７）を設けて、上記上部室（２１）内を前部室（２１Ａ）と中間室（２１Ｂ）と後部室（２１Ｃ）の前後３室に区画し、
上記中間室（２１Ｂ）内に細霧冷房装置（７）で発生させた細霧を供給し、
上記２つの隔壁（１７，１７）に上記中間室（２１Ｂ）内の細霧混じりの空気を上記前部室（２１Ａ）と上記後部室（２１Ｃ）に振り分けて吹き出させる吹出フアン（１８Ａ，１８Ｂ）をそれぞれ設けている一方、
上記前部室（２１Ａ）側のハウス妻面（１２）と上記後部室（２１Ｃ）側のハウス妻面（１３）とにそれぞれ排気フアン（５Ａ，５Ｂ）設けて該各排気フアン（５Ａ，５Ｂ）で上記前部室（２１Ａ）内と上記後部室（２１Ｃ）内の各空気をそれぞれ大気中に強制排気するように構成しているとともに、
上記各排気フアン（５Ａ，５Ｂ）部分での各排気量を上記各吹出フアン（１８Ａ，１８Ｂ）部分での各吹き出し空気量よりそれぞれ多くしている、
ことを特徴とする植物栽培温室。
【発明の詳細な説明】
【技術分野】
【０００１】
本願発明は、草花、果菜、野菜等の植物を栽培するための植物栽培温室に関するものである。尚、本願が対象にしている植物栽培温室は、パイプ材やアングル材等で組立てた骨格体の外側を透明の被覆材（ビニールシートやガラス板）で被覆したものであって、一般に農業用ハウスと称されているものである。そして、以下の説明では、本願の植物栽培温室を農業用ハウス又は単にハウスということがある。
【背景技術】
【０００２】
基本的な農業用ハウスは、骨格体（パイプ材やアングル材等で組立てたもの）の外側を透明な被覆材（ビニールシートやガラス板等）で覆って雨水の侵入を防止する一方で、ハウスの側面下部に防虫ネットを張設してハウス内の通気性を確保するようにしている。
【０００３】
又、従来から、ハウス内が過度に高温になるのを防止するために、ハウスの妻面に排気フアンを設けてハウス内の空気（熱気）を強制的に入れ替えるようにしたものもある。
【０００４】
ところで、上記のようなハウスにおいては、特に夏季の日照時には、透明な被覆材を通して日光による日射熱でハウス内が４０℃以上の高温になることが通例であり、その場合には、高温による作物への悪影響が出る一方、作業に従事する作業員の作業環境が劣悪になる。従って、夏の高温時期には、多くの農家がハウス栽培を休止しているのが現状である。
【０００５】
他方、夏季の高温時にハウス内を冷凍機で冷やすものも散見されるが、その場合は、設備費が高価となり且つ運転コスト（電気代）も高くつくので、一般に普及していない。
【０００６】
又、近年、ハウス内を比較的簡易に冷却する設備として、ミスト状の水滴（細霧）をハウス内に飛散させてその気化熱により冷房するようにした細霧冷房設備がある。この細霧冷房設備は、ハウス内に点在させた多数の細霧噴出ノズルから一定時間ごとに細霧を噴出させてハウス内を細霧冷房するものであるが、日中はハウス内が日射熱により加温されることにより細霧が気化して、ハウス内全域が異常な高湿状態になる。そして、ハウス内が異常な高湿状態になると、作物に対する病気の発生や品質の低下が起こり、さらに長時間の作業ができない程度の高湿作業環境になる。
【０００７】
ところで、このような高湿状態を解消するには、ハウス内の換気（外気と入れ替え）を迅速に行う必要があるが、ハウス内の高湿状態をハウス内での作業実施可能な程度まで低下させるには、外気の入れ替えに時間を要し、さらにその間もハウス内が被覆材を透過する日射熱で加温され続けているので、ハウス内の作業環境はさほど改善できないのが現状である。
【発明の概要】
【発明が解決しようとする課題】
【０００８】
そこで、本願発明は、ハウス内を冷房するのに細霧の気化熱を利用した簡易な細霧冷房設備を用いる一方、そのようにハウス内を細霧冷房するものであっても、ハウス内における作業高さ位置の作業環境（湿度及び温度）を好適範囲に維持できるようにした植物栽培温室（農業用ハウス）を提供することを目的としている。
【課題を解決するための手段】
【０００９】
本願発明は、上記課題を解決するための手段として次の構成を有している。尚、本願発明は、植物を栽培するための植物栽培温室（農業用ハウス）を対象としたものであり、特に日差しの強い季節（主に夏季に使用されるが春季、秋季でも使用可能）の日中に好適なものである。
【００１０】
［本願請求項１の発明］
本願請求項１の発明の植物栽培温室は、上部を透明な被覆材で被覆してなるハウス本体内を上下に通気可能な区画材により天井側の上部室と栽培室となる下部室との上下２室に区画し、下部室の側面に防虫ネットを張設し、上部室内を細霧冷房装置により細霧冷房し、上部室内の空気をハウス外に排出する排気フアンを有しているとともに、上部室内の空気を排気フアンで強制排気することで、下部室内の空気が上部室内に吸引され続いて下部室内に外気が防虫ネットを通して導入されるように構成したものである。
【００１１】
ハウス本体は、パイプ材やアングル材等で組立てた骨格体の外側を透明の被覆材（ビニールシートやガラス板）で被覆して構成されたものである。
【００１２】
ハウス本体内を上下２室に区画する区画材は、上部室と下部室とを通気可能に区画するものであるが、その通気許容構造としては、区画材自体に通気性を有するネットを使用したり、あるいは不通気シートを使用する場合には該シートに所定面積割合の範囲で通気用開口を設けるとよい。この場合の通気用開口としては、例えば不通気シートに多数の穴を散在させたり（パンチングシートを使用）、平面方向（ハウスの幅方向又は長さ方向）に所定小幅の隙間（通気部）を設けたものを採用できる。又、この区画材は、栽培室となる下部室に上方（上部室側）からの日光を透過させる必要から、透光性を有した材質（ある程度、遮光性があってもよい）のものが採用される。
【００１３】
ハウス本体の下部寄りの側面には、通気を許容し小害虫の侵入（通過）を防止するための防虫ネットが張設されているが、最近では、オンシツコナジラミやスリップスなどの微小害虫の侵入も阻止するために、防虫ネットとして網目空間が０.４mm程度の微細目のものを多用している。尚、このような微細目の防虫ネットを使用すると、防虫の点では効果が良好となるが通常の風程度では通気性が非常に悪いものとなる。
【００１４】
上部室内を細霧冷房する細霧冷房装置は、水を微細な水滴（細霧）にして高温空気中に噴霧させることで、該細霧が空気中で蒸発するときの気化熱により空気を冷やすことができるようにしたものである。尚、この請求項１では、細霧冷房装置は、上部室内で直接細霧を発生させ得るようにしたものでもよく、あるいは上部室外で発生させた細霧を該上部室内に供給し得るようにしたものでもよい。又、ハウスが長いものでは、上部室の長さ方向に間隔をもって複数箇所に細霧冷房装置を設置することができる。
【００１５】
上部室内の空気は、排気フアンによって強制排気されるようになっているが、ハウスが長いものでは、上部室内の長さ方向の途中に補助送風フアンを設置して、上部室内の全長に亘って空気がスムーズに流れるようにすることができる。
【００１６】
この請求項１の植物栽培温室は、次のように機能する。まず、日中において日光がハウス内に照射すると、その日光が届く上部室内及び下部室内が日射熱でそれぞれ加温されるが、上記細霧冷房装置を作動させていると、上部室内で浮遊する細霧が上部室内の熱で蒸発（気化）してその気化熱により該上部室内を冷房することができる。そして、このように、上部室内の温度が細霧冷房によって冷却されると、該上部室側から下部室（栽培室）側への加熱伝導が起こりにくくなる。
【００１７】
他方、排気フアンを作動させると、上部室内の空気が外気中に強制排気されることで該上部室内が負圧になり、その不足空気を区画材の通気部分を通して下部室内から吸引するようになる。尚、このとき、上部室内は細霧が気化したことで高湿状態になっているが、上部室と下部室間には区画材が介在されており、さらに上部室内が負圧になっていることによりハウス内での空気の流れは下部室側から上部室側への一方通行となるので、該上部室内の高湿空気が下部室側に流入することはない。
【００１８】
そして、下部室内の空気が上部室側に流入することにより該下部室内が負圧になるが、その不足空気は下部室側面の防虫ネットを通してハウス外から外気を吸引するようになる。尚、下部室の内外に上記のような気圧差が生じると、防虫ネットの網目が微小なものでも（自然状態で通気性に乏しい性状でも）、空気が自然に高圧側（ハウス外）から低圧側（下部室内）に流動するようになる。又、このような空気の流れは、排気フアンの作動中は連続して行われるとともに、無風状態であってもハウス内の空気の入れ替えを確実に行える。
【００１９】
従って、この請求項１の植物栽培温室では、排気フアンの作動中は、ハウス内の下部室（栽培室）内には新しい外気が連続して吸引される（入れ替えられる）ことにより、下部室（栽培室）内も日射熱で加温されるものの、該下部室内の温度及び湿度は常時ハウス外の外気とほぼ同等となる。
【００２０】
［本願請求項２の発明］
本願請求項２の発明は、上記請求項１の植物栽培温室において、ハウス本体内を区画している区画材は、所定遮光率を有した遮光材であることを特徴としている。
【００２１】
ところで、ハウス内で作物を栽培するのに、栽培室（下部室）内にも所定の日射量が必要であるが、夏季のような日差しの強い季節では、栽培室内が過度に昇温するのを防止するために該栽培室への日射量をある程度制限することが望ましい。
【００２２】
そこで、この請求項２の植物栽培温室では、ハウス本体内を上下に区画する区画材として所定遮光率を有した遮光材を使用することで、下部室（栽培室）への過剰な日射量（それによる加温）を抑制するようにしている。
【００２３】
区画材による遮光機能は、例えば、区画材に遮光ネットや半透明の遮光シート（又は反射シート）を使用することで付与できる。尚、この区画材による好適な遮光率は、栽培作物の種類やハウス設置環境等に応じて変化させ得るが、上部室側から区画材上面に照射した日光量を例えば（特に限定するものではないが）５０〜７０％程度カットし得るものが採用できる。
【００２４】
［本願請求項３の発明］
本願請求項３の発明は、上記請求項１又は２の植物栽培温室において、細霧冷房装置は外気を吸引する吸気フアンと細霧噴出ノズルとを有し、該細霧冷房装置を上部室における一方のハウス妻面に設置する一方、排気フアンを上部室における細霧冷房装置の設置側ハウス妻面とは対面するハウス妻面に設置しているとともに、排気フアン部分での排気量を吸気フアン部分での吸気量より多くしていることを特徴としている。
【００２５】
この請求項３において、上部室における排気フアン部分での排気量を吸気フアン部分での吸気量より多くする方法としては、排気ファンの排気出力を吸気ファンの吸気出力より大きくすることが一般的であるが、排気ファンと吸気ファンとが同等の出力のものでも、例えば吸気ファンで吸気される部分に適度の吸気抵抗をもたせる（例えば細目のネットを通して吸気する）ことにより、上記排気量と吸気量に差をもたせるようにしたものでもよい。
【００２６】
この請求項３の植物栽培温室では、上部室における一方のハウス妻面部分で発生させた細霧を吸気フアンと排気フアンとで上部室内を強制的に移送させて広範囲に飛散させることができる。
【００２７】
又、吸気フアンで上部室内に外気を導入するものであっても、排気フアン部分での排気量を吸気フアン部分での吸気量より多くしている（上部室内が負圧となる）ので、その排気量と吸気量の差に見合う空気量を下部室側から上部室側に吸引でき、さらに下部室が負圧になることにより該下部室内に外気が防虫ネットを通して導入される。
【００２８】
［本願請求項４の発明］
本願請求項４の発明は、上記請求項１又は２の植物栽培温室において、上部室におけるハウス長さ方向の中間位置に所定小間隔を隔てて２つの隔壁を設けて、上部室内を前部室と中間室と後部室の前後３室に区画し、上記中間室内に細霧冷房装置で発生させた細霧を供給し、上記２つの隔壁に中間室内の細霧混じりの空気を前部室と後部室に振り分けて吹き出させる吹出フアンをそれぞれ設けている一方、前部室側のハウス妻面と後部室側のハウス妻面とにそれぞれ排気フアンを設けて該各排気フアンで前部室内と後部室内の各空気をそれぞれ大気中に強制排気するように構成しているとともに、各排気フアン部分での各排気量を各吹出フアン部分での各吹き出し空気量よりそれぞれ多くしていることを特徴としている。
【００２９】
この請求項４の植物栽培温室では、次のように機能する。尚、この請求項４の場合でも、ハウス本体の下部室内は、その側面に設けた防虫ネットの網目を通して外気と連通している。
【００３０】
各装置（細霧冷房装置、排気フアン、吹出フアン等）を作動させると、まず上部室における前後中間位置にある中間室内に細霧冷房装置から細霧が供給されて、該中間室内が細霧混じりの空気で高湿状態となる。そして、中間室内の細霧混じりの空気は、該中間室の前後各隔壁に設けた各吹出フアンにより上部室の前部室と後部室とに振り分けて吹き出される。このとき中間室内は空気吹き出しにより負圧になるが、該中間室内に不足する空気は区画材の通気部分を通して下部室側から補充される。
【００３１】
ところで、上部室の前部室内及び後部室内は、それぞれ日射熱によって加温されているので、中間室から前部室内及び後部室内に吹き出された空気（細霧混じりの空気）中の浮遊細霧は各室内の熱で蒸発（気化）してその気化熱により前部室内及び後部室内をそれぞれ冷房することができる。
【００３２】
そして、このように前部室内及び後部室内をそれぞれ細霧冷房した後、前部室内及び後部室内の空気は各側のハウス妻面に設けた前後の各排気フアンによりそれぞれ外気中に強制排気されるが、各排気フアンによる前部室及び後部室の各排気量は中間室（各吹出フアン）からの吹き出し空気量より多くしているので、前部室内及び後部室内がそれぞれ負圧になり、その各室で不足する空気を区画材の通気部分を通して下部室内からそれぞれ前部室内及び後部室内に吸引するようになる。
【００３３】
このとき、上記請求項１の上部室の場合と同様に、前部室内及び後部室内は細霧が気化したことで高湿状態になっているが、前部室及び後部室と下部室間にはそれぞれ区画材が介在されており、さらに前部室内及び後部室内が負圧になっていることによりハウス内での空気の流れは下部室側から上部室側への一方通行となるので、前部室内及び後部室内の高湿空気が下部室側に流入することはない。そして、下部室内の空気が前部室及び後部室側に流入することにより該下部室内が負圧になるが、そのときの不足空気は下部室側面の防虫ネットを通してハウス外から外気を吸引するようになる（無風状態であってもハウス内の空気の入れ替えを確実に行える）。
【００３４】
ところで、本願のように、ハウス本体の上部室内を細霧冷房するようにしたものにおいて、上記請求項３のように上部室の一方のハウス妻面から細霧を供給する一方、その対向側のハウス妻面から上部室内の空気を排出するようにしたものでは、上部室内における細霧供給側に近い場所での細霧冷房は活発に行われるが、上部室内における排気側に近づくほど未気化の細霧量が少なくなっていくのでそこでの細霧冷房効果が低下していく。
【００３５】
そこで、本願請求項４のように、上部室をハウス長さ方向に３分割して、上部室の中間室から細霧混じりの空気を前部室と後部室に吹き出させるようにすると、細霧冷房範囲が上部室内におけるハウス長さ方向の１／２ずつでよくなる。
【発明の効果】
【００３６】
［本願請求項１の発明の効果］
本願請求項１の発明の植物栽培温室は、次のような効果がある。
【００３７】
（１）ハウス内を上下に通気性を有した区画材で上下２室に区画するとともに、その上部室内を細霧冷房装置で発生させた細霧の気化により冷房できるので、該上部室内が日射熱で高温度まで加温されるのを抑制できる。このように、細霧冷房装置により上部室内の温度上昇が抑制できると、下部室空気が上部室の温度で加温されにくくなり、しかも低温となった上部室空気で下部室空気を冷やすことも可能となるので、夏季のような高温時においても栽培室となる下部室内が過度に加温されることがない（高温による作物育成環境や作業に従事する作業員の作業環境がそれぞれ悪くならない）。
【００３８】
（２）上部室冷房用の細霧冷房装置は、細霧の気化熱で冷房し得るものであるので、冷房装置として設備費が安価となるとともに運転コストも安価となる。
【００３９】
（３）ハウス内での空気の流れは、下部室（栽培室）側から上部室側への一方通行であるので、上部室内が細霧の気化による高湿状態になっても、その上部室側の高湿空気が下部室内に流入することがない。従って、冷房用に細霧冷房装置を使用したものであっても、栽培室となる下部室内が高湿にならないので、作物に対する病気の発生を抑止できるとともに、作業に従事する作業員の作業環境が悪化しない。
【００４０】
［本願請求項２の発明の効果］
本願請求項２の発明の植物栽培温室では、ハウス内を上下２室に区画している区画材に所定遮光率を有した遮光材を使用しているので、上記請求項１の効果に加えて、上部室側から区画材を通って下部室内に照射される照射熱量を軽減でき、下部室に対する温度上昇作用を抑制できるという効果がある。
【００４１】
［本願請求項３の発明の効果］
本願請求項３の発明の植物栽培温室では、上記請求項１及び２の効果に加えて、次の効果がある。
【００４２】
まず、上部室における一方のハウス妻面に吸気フアンを設け、上部室における他方のハウス妻面に排気フアンを設けているので、細霧冷房装置からの細霧が上部室内を強制的に移送せしめられて広範囲に飛散する。従って、細霧冷房装置を使用したものであっても、細霧が上部室内の広範囲の位置で気化されることにより、該細霧が１箇所で結露して滴り落ちることがない。
【００４３】
又、吸気フアンで上部室内に外気を導入するものであっても、排気フアン部分での排気量を吸気フアン部分での吸気量より多くしているので、その排気量と吸気量の差に見合う空気量を下部室側から上部室側に連続して吸引できる（そのとき下部室内が負圧になる）。従って、下部室内には防虫ネットを通して外気が連続して導入されるので、下部室内を外気とほぼ同等の温度及び湿度環境に維持でき、外気が高温となる季節（主として夏季であるが、春季や秋季の高温時）においてもハウス栽培が可能となる。
【００４４】
［本願請求項４の発明の効果］
本願請求項４の発明の植物栽培温室は、上部室内をハウス長さ方向に前部室と中間室と後部室の３室に区画し、その中間室内に細霧を供給する一方、該中間室内の細霧混じりの空気をそれぞれ前部室と後部室に振り分けて吹き出し、前部室内及び後部室内をそれぞれ細霧冷房した後、前部室内及び後部室内の空気をそれぞれ前後の各ハウス妻面から強制排気し得るようになっている。
【００４５】
このように、この請求項４の植物栽培温室では、ハウス長さ方向の中間位置（中間室）で発生させた細霧混じりの空気を前部室と後部室に振り分けて吹き出させることにより、細霧冷房範囲が上部室内におけるハウス長さ方向の１／２ずつでよくなる。
【００４６】
従って、この請求項４の発明の植物栽培温室では、上記請求項１及び２の効果に加えて、上部室内の細霧冷房範囲がハウス長さ方向の１／２ずつでよいので、上部室内での細霧冷房効率が良好になるとともに、該上部室内の全長に亘って細霧冷房による温度低下を平均化させる（均一温度に近づける）ことができるという効果がある。
【図面の簡単な説明】
【００４７】
【図１】本願第１実施例の植物栽培温室（ハウス）の斜視図である。
【図２】図１のハウスにおける長手方向の縦断面図（図１のII−II断面図）である。
【図３】図１のハウスにおける幅方向の縦断面図（図１のIII−III断面図）である。
【図４】本願第２実施例の植物栽培温室（ハウス）の斜視図である。
【図５】図４のハウスにおける長手方向の縦断面図（図１のＶ−Ｖ断面図）である。
【図６】図４のハウスにおける幅方向の縦断面図（図１のVI−VI断面図）である。
【発明を実施するための形態】
【００４８】
［実施例］
以下、図１〜図６を参照して、本願実施例を説明すると、図１〜図３には本願請求項１、２及び３に対応する第１実施例の植物栽培温室を示し、図４〜図６には本願請求項１、２及び４に対応する第２実施例の植物栽培温室を示している。
【００４９】
まず、第１実施例（図１〜図３）と第２実施例（図４〜図６）の各植物栽培温室の共通事項について説明すると、該各植物栽培温室は、パイプ材やアングル材等で組立てた骨格体の外側を透明の被覆材２で被覆してハウス本体１を構成している。尚、各図にはハウス本体１の骨格体（パイプ材やアングル材等）は図示省略している。
【００５０】
ハウス本体１の大きさ・形状は、特に限定するものではないが、ハウス妻面１２（及び１３）が例えば幅６〜１０ｍ、高さ４〜５ｍ程度の面積で、前後長さが例えば３０〜５０ｍ程度の大きさのカマボコ型に形成している。
【００５１】
ハウス本体１の外表は、屋根部に透明シートからなる被覆材２を使用し、左右の各側面１１，１１に防虫ネット３，３を使用し、前後の妻面１２，１３に透明シートを使用している。
【００５２】
屋根部の被覆材２には、雨水の透過を阻止するために防水性のあるビニールシートが採用されている。他方、前後の妻面１２，１３に使用するシートとしては、後述する区画材６より上方部分（１２ａ，１３ａ）は防水性のあるビニールシートを使用しているが、該区画材６より下方部分（１２ｂ，１３ｂ）は防水性のあるビニールシートでも通気性のある防虫ネットでもよい。尚、前後の妻面１２，１３の各下半部１２ｂ，１３ｂには、開閉可能な出入口（扉）１５，１６（図１、図４参照）を設けるとよい。
【００５３】
下部室２２の側面１１，１１に使用した防虫ネット３，３は、この実施例では、オンシツコナジラミやスリップスなどの微小害虫の侵入も阻止するために、網目空間が０.４mm程度の微細目のものを使用している。尚、このような微細目の防虫ネット３を使用すると、防虫の点では効果が良好となるが通常の風程度では通気性が非常に悪いものとなる。
【００５４】
ハウス本体１内は、上下に通気可能な区画材６により天井側の上部室２１と栽培室となる下部室２２との上下２室に区画している。この区画材６は、ハウス本体１内の前後方向の全長に設置されていて、上部室２１と下部室２２とがそれぞれハウス本体１の全長に亘って連続する状態で区画されている。
【００５５】
この区画材６の設置高さは、ハウス本体１内の下部室（栽培室）２２として、人の歩行及び作業に邪魔にならないような高さ（例えば２〜２.５ｍ程度の高さ）が確保できるような高さ位置に設定されている。
【００５６】
ところで、ハウス本体１における上部室２１を被覆する部分（上面側の被覆材２全体、及び前後妻面の各上半部１２ａ，１３ａ）には、透明なビニールシートを使用しているので、該透明な被覆部分（２，１２ａ，１３ａ）での日光透過率（図２、図３又は図５、図６の各Ｌ０）が大きくなって、上部室２１内への加温作用が大きくなる。
【００５７】
他方、ハウス内で作物を栽培するのに、下部室（栽培室）２２内にも所定の日射量Ｌａ（図２、図３又は図５、図６）が必要であるが、夏季のような日差しの強い季節では、下部室２２内が過度に昇温するのを防止するために該下部室２２内への日射量Ｌａをある程度制限することが望ましい。そこで、この各実施例では、ハウス本体１内を上下に区画する上記区画材６を利用して、上部室２１内に照射した日射量Ｌ１が下部室２２側に透過する日射量Ｌａを制限するようにしている。
【００５８】
この各実施例の区画材６としては、例えば、遮光ネットや半透明の遮光シート（又は反射シート）等の遮光材６１を使用することができる。この区画材６（遮光材６１）による好適な遮光率は、栽培作物の種類やハウス設置環境等に応じて変化させ得るが、上部室２１側から区画材６上面に照射した照射量Ｌ１を例えば（特に限定するものではないが）５０〜７０％程度カットし得る（換言すると、該照射量Ｌ１の５０〜３０％だけ透過させ得る）ものが採用されている。即ち、図２及び図３（又は図５及び図６）において、上部室２１を通って区画材６（遮光材６１）上に照射した日射量Ｌ１は、その一部Ｌｂが遮光材６１によって遮光（又は反射）されて、残余の日射量Ｌａのみが下部室２２内に透過するようになっている。従って、被覆材２等を透過して遮光材６１上に照射した照射量Ｌ１の一部Ｌｂが該遮光材６１で遮光（又は反射）されることにより、下部室２２内に照射される照射量Ｌａを減少できるので、下部室２２内の作物Ｐに対する悪影響（例えば葉焼け）を防止したり、下部室２２内への温度上昇作用を抑制できる。
【００５９】
又、上記区画材６は、上部室２１と下部室２２とが通気可能な状態で設置されているが、この各実施例では図１及び図３（又は図４及び図６）に示すように、左右に分割した２枚の遮光材（遮光シート）６１，６１間に所定間隔（例えば２０〜４０cm程度の間隔）の隙間６２を設けて、該隙間６２部分で通気可能としている。尚、遮光材６１として遮光ネット（又はパンチングシート）を使用する場合は、該遮光ネットの網目（又はパンチングシートの穴）から通気させることができるので、上記隙間６２を設けないものでもよい。
【００６０】
以下、第１実施例（図１〜図３）と第２実施例（図４〜図６）とを個別に説明する。
【００６１】
「図１〜図３の第１実施例」
この第１実施例の植物栽培温室において、ハウス本体１の上部室２１内は細霧冷房装置７により細霧冷房し得るようになっている。この第１実施例の細霧冷房装置７は、外気を吸引する吸気フアン４と細霧を噴出させる細霧噴出ノズル７１とを有している。
【００６２】
細霧冷房装置７の吸気フアン４は、一方のハウス妻面１２における上部室２１に対応する上半部１２ａに設けられている。尚、以下の説明では、前後の各ハウス妻面１２，１３において吸気フアン４を設置した側のハウス妻面を前側妻面１２といい、該前側妻面１２と対向する側のハウス妻面を後側妻面１３ということがある。
【００６３】
上記吸気フアン４の外側は、前側妻面１２の外面に設置したフード１４で被覆されている。このフード１４は、吸気フアン４を被覆する高さ位置から地表面に達する高さ範囲に設置している。又、このフード１４の上半部１４ａには通気性のない透明シートが使用されている一方、該フード１４の下半部１４ｂにはハウス側面１１の防虫ネット３と同様な細め（網目空間が０.４mm）の防虫ネットが使用されている。そして、上記吸気フアン４を作動させると、図２に示すように外気Ａ０がフード下半部（防虫ネット）１４ｂの網目からフード１４内に吸引された後、吸気フアン４を通って符号Ａ１で示すように上部室２１の始端部２１ａ内に吹き込まれるようになっている。
【００６４】
フード１４内における上下中間高さ付近（遮光材６１の高さ付近）には、細霧冷房装置７の細霧噴出ノズル７１が設置されている。この細霧噴出ノズル７１は、フード１４内におけるハウス幅方向に所定間隔をもって複数個設けている。そして、この各細霧噴出ノズル７１，７１・・にはポンプ７２からの水が圧送されて、該水が各細霧噴出ノズル７１，７１・・から細霧状態（符号Ｆ）で噴出されるようになっている。
【００６５】
各細霧噴出ノズル７１，７１・・から噴出された細霧Ｆは、フード１４内を上向きに流れる空気中に混入して細霧混じりの空気となり、該細霧混じりの空気が吸気フアン４によって矢印ＡＦ（図３）で示すように上部室２１の始端部２１ａ内に吹き込まれる。
【００６６】
又、他方のハウス妻面（後側妻面）１３における上部室２１に対応する上半部１３ａには、上部室２１内の空気を該上部室２１の終端部２１ｂから強制的に外気中に排出（図２の符号Ｃ）するための排気フアン５を設けている。
【００６７】
そして、吸気フアン４と排気フアン５を共に作動させると、吸気フアン４により外気Ａ０がフード１４内を通して上部室２１の始端部２１ａ内に吸引される一方、該上部室２１内の空気が矢印Ｂ（図２）で示すように順次上部室２１の終端部２１ｂ側に流動して、最終的に排気フアン５部分から矢印Ｃで示すように外気中に排出される。尚、上部室２１内の空気は、吸気フアン４により外気が上部室始端部２１ａに吸引される一方、後側妻面１３の排気フアン５により外気中に強制排気されるようになっているが、ハウスが長いものでは、上部室２１内の長さ方向の適数箇所に補助送風フアン８，９（図２参照）を設置することにより、上部室２１内の全長に亘って空気がスムーズに流れるようにすることができる。
【００６８】
ところで、本願請求項３の植物栽培温室では、後側妻面１３における排気フアン５部分での排気量を上記妻面１２における吸気フアン４部分での吸気量より多くしているが、上記排気量と上記吸気量に差をもたせるのに、この第１実施例では排気フアン５の排気出力と吸気フアン４の吸気出力に差をもたせることによって行っている。即ち、この第１実施例では、各フアン４，５の出力差は、特に限定するものではないが、吸気フアン４の吸気出力を例えば３５０〜４００ワット程度とする一方、排気フアン５の排気出力を例えば７００〜８００ワット程度にすることができる。
【００６９】
他方、上記のように排気フアン５部分での排気量と吸気フアン４部分での吸気量とに差をもたせるのに、他の実施例では次のように構成することもできる。即ち、排気フアン５と吸気フアン４とを同等出力のものを採用する一方、吸気ファン４で吸気される部分に適度の吸気抵抗をもたせることにより、上記排気フアン５部分での排気量が吸気フアン４部分での吸気量より多くなるようにすることもできる。この場合、例えば図示例のように、吸気フアン４の外側を覆っているフード１４の下半部１４ｂのネットを極細目（例えば０.４mm）の網目にすることにより、該ネット部分で吸気抵抗を発生させて吸気フアン４部分での吸気量を減少させるようにすることもできる。
【００７０】
この第１実施例の植物栽培温室（ハウス）は、次のように機能する。
【００７１】
（ａ）ハウス本体１の上部室２１は、日射熱Ｌ０で高温度まで加温される部分であるが、その上部室２１内の始端部２１ａに細霧冷房装置７で発生させた細霧Ｆを供給することで、上部室２１内を細霧の気化により冷房できるので、該上部室２１内が日射熱Ｌ０で高温度まで加温されるのを抑制できる。このように、細霧冷房装置７により上部室２１内の温度上昇作用が抑制できると、下部室２２が上部室２１の温度で加温されにくくなり、しかも低温となった上部室空気で下部室空気を冷やすことも可能となるので、夏季のような高温時においても栽培室となる下部室２２内が過度に加温されることがない（高温による作物育成環境や作業に従事する作業員の作業環境がそれぞれ悪くならない）。
【００７２】
（ｂ）上部室冷房用の細霧冷房装置７は、細霧による気化熱で冷房し得るものであるので、冷房装置として設備費が安価となるとともに運転コストも安価となる。
【００７３】
（ｃ）ハウス内での空気の流れは、下部室（栽培室）２２側から上部室２１側への一方通行であるので、上部室２１内が細霧の気化による高湿状態になっても、その上部室２１側の高湿空気が下部室２２内に流入することがない。従って、冷房用に細霧冷房装置７を使用したものであっても、栽培室となる下部室２２内が高湿にならないので、作物に対する病気の発生を抑止できるとともに、作業に従事する作業員の作業環境が悪化しない。
【００７４】
（ｄ）ハウス本体１内を上下２室に区画している区画材６に所定遮光率を有した遮光材６１を使用しているので、上部室２１側から区画材６を通って下部室２２内に照射される照射熱量を軽減でき、下部室２２に対する温度上昇作用を抑制できる。
【００７５】
（ｅ）上部室２１における、一方のハウス妻面１２ａに吸気フアン４を設け、他方のハウス妻面１３ａに排気フアン５を設けているので、細霧冷房装置７からの細霧Ｆが上部室２１内を強制的に移送せしめられて広範囲に飛散する。従って、細霧冷房装置７を使用したものであっても、細霧が上部室２１内の広範囲の位置で気化されることにより、該細霧が１箇所で結露して滴り落ちることがない。
【００７６】
（ｆ）吸気フアン４で上部室２１内に外気を導入するものであっても、排気フアン５部分での排気量を吸気フアン４部分での吸気量より多くしているので、その排気量と吸気量との差に見合う空気量を下部室２２側から上部室２１側に連続して吸引できるとともに、下部室２２内が負圧になることで該下部室２２内に防虫ネット３，３を通して外気の導入が連続して行われるので、下部室２２内を外気とほぼ同等の温度及び湿度環境に維持できる。従って、外気が高温となる季節（主として夏季であるが、春季や秋季の高温時）においてもハウス栽培が可能となる。
【００７７】
ところで、上部室２１内の空気を一方の妻面１３に設けた排気フアン５で排気させるようにしたものでは、下部室２２内における排気フアン５に近い側の空気が多量に吸引され易いが、下部室２２の側面を覆っている防虫ネット３は極細目（約０.４mm）の網目であるので、空気の通過抵抗が大きく、従って下部室２２の遠く（前側妻面１２寄り）に位置するネット部分からも吸気するようになる。従って、下部室２２内は広範囲に亘って外気との空気の入れ替えが行われる。
【００７８】
尚、上記した第１実施例（図１〜図３）の植物栽培温室は、本願請求項２及び３にも対応するものであるが、本願請求項１の状態のものも実施できる。即ち、本願請求項１では、細霧冷房装置７は、上部室２１内を細霧冷房し得るものであればよく、例えば該細霧冷房装置７を上部室２１内に設置して、該上部室２１内で細霧を発生させるようにすることができる。その場合、複数個の細霧冷房装置７を、上部室２１の長さ方向の複数箇所に分散して設置してもよい。
【００７９】
「図４〜図６の第２実施例」
この第２実施例の植物栽培温室では、ハウス本体１の上部室２１におけるハウス長さ方向の中間位置に所定小間隔を隔てて２つの隔壁１７，１７を設けて、上部室２１内を前部室２１Ａと中間室２１Ｂと後部室２１Ｃの前後３室に区画している。
【００８０】
中間室２１Ｂの前後幅（両隔壁１７，１７間の間隔）は、特に限定するものではないが例えば１〜３ｍ程度の範囲内で適宜幅に設定できる。中間室２１Ｂを区画している前後の各隔壁１７，１７は、通気性のないシート状のものを使用できる。尚、中間室２１Ｂの上面被覆部分２ａは、該中間室２１Ｂ内が日射熱で加温されるのを防止のために通気性の無い遮光フイルムを使用することが好ましい。
【００８１】
中間室２１Ｂの前後各隔壁１７，１７には、それぞれ吹出フアン１８Ａ，１８Ｂが設けられていて、該各吹出フアン１８Ａ，１８Ｂにより中間室２１Ｂ内の空気をそれぞれ前部室２１Ａと後部室２１Ｃに振り分けて吹き出させるようにしている。この各吹出フアン１８Ａ，１８Ｂには出力が同じものを使用しており、中間室２１Ｂ内の空気を前部室２１Ａと後部室２１Ｃとに均等量ずつ吹き出し得るようにしている。尚、各吹出フアン１８Ａ，１８Ｂは、後述するように細霧冷房装置７の一部を構成するものである。
【００８２】
中間室２１Ｂの下面部分には、図４及び図５に示すように前後両隔壁１７，１７の間隔に対応する部分に区画材６の無い隙間６３を設けており、上記各吹出フアン１８Ａ，１８Ｂで中間室２１Ｂ内の空気を前部室２１Ａと後部室２１Ｃに吹き出したときに不足する空気を該隙間６３を通して下部室２２内から補充し得るようにしている。
【００８３】
この第２実施例で使用されている細霧冷房装置７は、区画材６の上記隙間６３部分から細霧Ｆを上向きに噴出させる複数個の細霧噴出ノズル７１，７１・・と、該各細霧噴出ノズル７１，７１・・に高圧水を圧送するポンプ７２と、各細霧噴出ノズル７１，７１・・から中間室２１Ｂ内に噴出させた細霧混じりの空気を符号ＦＡ，ＦＡで示すように前部室２１Ａと後部室２１Ｃに振り分けて吹き出させる２つの吹出フアン１８Ａ，１８Ｂとを有している。
【００８４】
上部室２１における前部室２１Ａ側のハウス妻面（前部妻面）１２と後部室２１Ｃ側にのハウス妻面（後部妻面）１３には、それぞれ排気フアン５Ａ，５Ｂを設けている。この各排気フアン５Ａ，５Ｂは、前部室２１Ａ内及び後部室２１Ｃ内の各空気を大気中に強制排気するためのものである。
【００８５】
各排気フアン５Ａ，５Ｂ部分での排気量は、前後各隔壁１７，１７に設けた各吹出フアン１８Ａ，１８Ｂ部分での吹き出し空気量より多くしている。そして、この第２実施例では、上記各フアンの出力差は、特に限定するものではないが、各排気フアン５Ａ，５Ｂの排気出力を例えば７００〜８００ワット程度にする一方、各吹出フアン１８Ａ，１８Ｂの吹出出力を例えば３５０〜４００ワット程度にすることができる。
【００８６】
尚、図４〜図６の第２実施例では、前部妻面１２に第１実施例のフード１４が必要ないので、該前部妻面１２のほぼ中央部に出入口１５を設けることができる。そして、この第２実施例におけるその他の構成は、上記第１実施例のものとほぼ同様に構成されているので、この第２実施例で説明しない部分は上記第１実施例の説明を援用する。
【００８７】
この第２実施例（図４〜図６）の植物栽培温室では、次のように機能する。
【００８８】
各装置（細霧冷房装置７のポンプ７２、排気フアン５Ａ，５Ｂ、吹出フアン１８Ａ，１８Ｂ等）を作動させると、まず上部室２１における中間室２１Ｂ内に各細霧噴出ノズル７１，７１・・から細霧Ｆが供給されて、該中間室２１Ｂ内が細霧混じりの空気で高湿状態となる。そして、中間室２１Ｂ内の細霧混じりの空気は、前後の各隔壁１７，１７に設けた各吹出フアン１８Ａ，１８Ｂにより、図５に符号ＦＡ，ＦＡで示すように前部室２１Ａと後部室２１Ｃとに振り分けて吹き出される。このとき中間室２１Ｂ内は空気吹き出しにより負圧になるが、該中間室２１Ｂ内に不足する空気は区画材６の通気部分（隙間６３）を通して下部室２２側から補充される。
【００８９】
ところで、上部室２１の前部室２１Ａ内及び後部室２１Ｃ内は、それぞれ日射熱によって加温されているので、中間室２１Ｂから前部室２１Ａ内及び後部室２１Ｃ内に吹き出された細霧混じりの空気ＦＡ，ＦＡ中の浮遊細霧は各室内の熱で蒸発（気化）してその気化熱により前部室２１Ａ内及び後部室２１Ｃ内をそれぞれ冷房することができる。
【００９０】
そして、このように前部室２１Ａ内及び後部室２１Ｃ内をそれぞれ細霧冷房した後、前部室２１Ａ内及び後部室２１Ｃ内の空気は各側のハウス妻面１２，１３に設けた前後の各排気フアン５Ａ，５Ｂにより矢印Ｃ，Ｃ（図５）で示すようにそれぞれ外気中に強制排気されるが、各排気フアン５Ａ，５Ｂによる前部室２１Ａ及び後部室２１Ｃからの各排気量Ｃ，Ｃは、中間室２１Ｂ（各吹出フアン１８Ａ，１８Ｂ）からの空気吹出量ＦＡ，ＦＡよりそれぞれ多くしているので、該前部室２１Ａ内及び後部室２１Ｃ内がそれぞれ負圧になり、その不足空気を区画材６の通気部分を通して下部室２２内から矢印Ａ２，Ａ２で示すようにそれぞれ前部室２１Ａ内及び後部室２１Ｃ内に吸引するようになる。
【００９１】
このとき、前部室２１Ａ内及び後部室２１Ｃ内は細霧が気化したことで高湿状態になっているが、前部室２１Ａ及び後部室２１Ｃと下部室２２間にはそれぞれ区画材６が介在されており、さらに前部室２１Ａ内及び後部室２１Ｃ内が負圧になっていることによりハウス内での空気の流れは下部室２２側から上部室２１（前部室２１Ａ、中間室２１Ｂ、後部室２１Ｃ）側への一方通行となるので、前部室２１Ａ内及び後部室２１Ｃ内の高湿空気が下部室２２側に流入することはない。そして、下部室２２内の空気が前部室２１Ａ及び後部室２１Ｃ側に流入することにより該下部室２２内が負圧になるが、その不足空気は下部室側面の各防虫ネット３，３を通して矢印Ａ３，Ａ３（図６）で示すようにハウス外から外気を吸引するようになる（無風状態であってもハウス内の空気の入れ替えを確実に行える）。
【００９２】
ところで、本願のように、ハウス本体１の上部室２１内を細霧冷房するようにしたものにおいて、上記第１実施例（図１〜図３）のように上部室２１の一方のハウス妻面１２から細霧を供給する一方、その対向側のハウス妻面１３から上部室２１内の空気を排出するようにしたものでは、上部室２１内における細霧供給側（符号２１ａ側）に近い場所での細霧冷房は活発に行われるが、上部室２１内における排気側（符号２１ｂ側）に近づくほど未気化の細霧量が少なくなっていくのでそこでの細霧冷房効果が低下していく。
【００９３】
そこで、本願第２実施例のように、上部室２１をハウス長さ方向に３分割して、上部室２１の中間室２１Ｂから細霧混じりの空気ＦＡ，ＦＡを前部室２１Ａと後部室２１Ｃに吹き出させるようにすると、細霧冷房範囲が上部室２１内におけるハウス長さ方向の１／２ずつでよくなる。
【００９４】
従って、この第２実施例の植物栽培温室では、細霧冷房範囲が上部室２１内におけるハウス長さ方向の１／２ずつでよいので、上部室２１内での細霧冷房効率が良好になるとともに、該上部室２１内の全長に亘って細霧冷房による温度低下を平均化させる（均一温度に近づける）ことができる。
【符号の説明】
【００９５】
１はハウス本体、２は被覆材、３は防虫ネット、４は吸気フアン、５，５Ａ，５Ｂは排気フアン、６は区画材、７は細霧冷房装置、１１は側面、１２，１３は妻面、１７は隔壁、１８Ａ，１８Ｂは吹出フアン、２１は上部室、２１Ａは前部室、２１Ｂは中間室、２１Ｃは後部室、２２は下部室、６１は遮光材、６２，６３は隙間、７１は細霧噴出ノズルである。
【図１】
2014198035.tif 000003
【図２】
2014198035.tif 000004
【図３】
2014198035.tif 000005
【図４】
2014198035.tif 000006
【図５】
2014198035.tif 000007
【図６】
2014198035.tif 000008